(57)【要約】【課題】画像形成装置の想定外のトラブルに対しても適切なメンテナンス情報を取得して、メンテナンス作業時間を短縮することができるとともに、メンテナンスコストを抑えることができる画像形成装置のメンテナンスシステムを提供する。【解決手段】この画像形成装置のメンテナンスシステムは、ネットワーク４００を介して複数の画像形成装置１とホストコンピュータ３００とが接続される。任意の画像形成装置１で異常画像トラブルが発生した場合に、ホストコンピュータ３００に蓄積保存されている、複数の画像形成装置で発生した異常画像とその発生条件や対処方法などの情報とを受信し、画像形成装置１の表示装置１０２に表示して参照する。【選択図】図３
2008061187.tif 000002
【特許請求の範囲】
【請求項１】
シート上に所定の画像を形成して、該画像が形成されたシートを出力する複数の画像形成装置のメンテナンスシステムであって、
前記画像形成装置のトラブル内容を、メンテナンス情報を含む付帯情報と共に送信する第１の送信手段と、
該第１の送信手段によって送信されたトラブル内容および付帯情報を受信する第１の受信手段と、
該第１の受信手段によって受信されたトラブル内容および付帯情報を所定の記憶領域に記憶する記憶手段と、
送信要求があったときに、前記記憶領域に記憶されたトラブル内容および付帯情報を送信する第２の送信手段と、
該第２の送信手段によって送信されたトラブル内容および付帯情報を受信する第２の受信手段と、
該第２の受信手段によって受信されたトラブル内容および付帯情報を表示する表示手段と、を備える、
ことを特徴とする画像形成装置のメンテナンスシステム。
【請求項２】
画像を読み取る画像読み取り手段を備え、
前記トラブル内容が、前記画像形成装置から出力されたシート上のトラブル画像の前記画像読み取り手段による読み取り画像データを基に生成されたトラブル画像データである、
ことを特徴とする請求項１に記載のメンテナンスシステム。
【請求項３】
前記画像形成装置から出力されたシート上のトラブル画像の前記画像読み取り手段による読み取り画像データと、前記シートと同種の無地シートの前記画像読み取り手段による読み取り画像データとの差分を前記トラブル画像データの最終データとし、前記第１の送信手段は、前記最終データをメンテナンス情報を含む付帯情報と共に送信する、
ことを特徴とする請求項２に記載の画像形成装置のメンテナンスシステム。
【請求項４】
複数の前記画像形成装置に通信回線を介して接続される管理装置を備え、
該管理装置は、前記第１の受信手段、前記記憶手段、および前記第２の送信手段を有する、
ことを特徴とする請求項１〜３のいずれか一項に記載の画像形成装置のメンテナンスシステム。
【請求項５】
前記画像形成装置は、前記第１の送信手段、および前記第２の受信手段を有する、
ことを特徴とする請求項１〜４のいずれか一項に記載の画像形成装置のメンテナンスシステム。
【請求項６】
前記画像形成装置は、前記管理装置に対して、前記記憶領域に記憶されたトラブル内容および付帯情報の送信要求を前記第１の送信手段を介して送信する、
ことを特徴とする請求項４又は５に記載の画像形成装置のメンテナンスシステム。
【請求項７】
前記画像形成装置は、前記表示手段を有する、
ことを特徴とする請求項１〜６のいずれか一項に記載の画像形成装置のメンテナンスシステム。
【請求項８】
前記画像形成装置は、前記画像読み取り手段を有する、
ことを特徴とする請求項２〜７のいずれか一項に記載の画像形成装置のメンテナンスシステム。
【請求項９】
前記表示手段は、前記第１の送信手段によって送信される前記メンテナンス情報の入力画面を表示する、
ことを特徴とする請求項１〜８のいずれか一項に記載の画像形成装置のメンテナンスシステム。
【請求項１０】
前記表示手段は、前記第２の受信手段によって受信された複数のトラブル内容および付帯情報から必要とするトラブル内容および付帯情報を検索する検索画面を表示する、
ことを特徴とする請求項１〜９のいずれか一項に記載の画像形成装置のメンテナンスシステム。
【請求項１１】
前記メンテナンス情報は、異常画像の種類を含む、
ことを特徴とする請求項１〜１０のいずれか一項に記載の画像形成装置のメンテナンスシステム。
【請求項１２】
前記メンテナンス情報は、前記画像形成装置が異常画像を出力した際のジョブ内容を含む、
ことを特徴とする請求項１〜１１のいずれか一項に記載の画像形成装置のメンテナンスシステム。
【請求項１３】
前記メンテナンス情報は、異常画像の修理方法を含む、
ことを特徴とする請求項１〜１２のいずれか一項に記載の画像形成装置のメンテナンスシステム。
【請求項１４】
前記メンテナンス情報は、前記画像形成装置が異常画像を出力した際の該画像形成装置の状態情報を含む、
ことを特徴とする請求項１〜１３のいずれか一項に記載の画像形成装置のメンテナンスシステム。
【請求項１５】
複数の前記画像形成装置が、同一機種である、
ことを特徴とする請求項１〜１４のいずれか一項に記載の画像形成装置のメンテナンスシステム。
【請求項１６】
シート上に所定の画像を形成して、該画像が形成されたシートを出力する複数の画像形成装置のメンテナンス方法であって、
前記画像形成装置のトラブル内容を、メンテナンス情報を含む付帯情報と共に送信する第１の送信ステップと、
該第１の送信ステップによって送信されたトラブル内容および付帯情報を受信する第１の受信ステップと、
該第１の受信ステップによって受信されたトラブル内容および付帯情報を所定の記憶領域に記憶する記憶ステップと、
送信要求があったときに、前記記憶領域に記憶されたトラブル内容および付帯情報を送信する第２の送信ステップと、
該第２の送信ステップによって送信されたトラブル内容および付帯情報を受信する第２の受信ステップと、
該第２の受信ステップによって受信されたトラブル内容および付帯情報を表示する表示ステップと、を備える、
ことを特徴とする画像形成装置のメンテナンス方法。
【請求項１７】
画像を読み取る画像読み取りステップを備え、
前記トラブル内容が、前記画像形成装置から出力されたシート上のトラブル画像の前記画像読み取りステップによる読み取り画像データを基に生成されたトラブル画像データである、
ことを特徴とする請求項１６に記載のメンテナンス方法。
【請求項１８】
前記画像形成装置から出力されたシート上のトラブル画像の前記画像読み取りステップでの読み取り画像データと、前記シートと同種の無地シートの前記画像読み取りステップでの読み取り画像データとの差分を前記トラブル画像データの最終データとし、前記第１の送信ステップは、前記最終データをメンテナンス情報を含む付帯情報と共に送信する、
ことを特徴とする請求項１７に記載の画像形成装置のメンテナンス方法。
【請求項１９】
複数の前記画像形成装置に通信回線を介して接続される管理装置が、前記第１の受信ステップ、前記記憶ステップ、および前記第２の送信ステップの各処理を実行する、
ことを特徴とする請求項１６〜１８のいずれか一項に記載の画像形成装置のメンテナンス方法。
【請求項２０】
前記画像形成装置は、前記第１の送信ステップ、および前記第２の受信ステップの各処理を実行する、
ことを特徴とする請求項１６〜１９のいずれか一項に記載の画像形成装置のメンテナンス方法。
【請求項２１】
前記画像形成装置は、前記管理装置に対して、前記記憶領域に記憶されたトラブル内容および付帯情報の送信要求を前記第１の送信ステップを介して送信する、
ことを特徴とする請求項１９又は２０に記載の画像形成装置のメンテナンス方法。
【請求項２２】
前記画像形成装置は、前記表示ステップの処理を実行する、
ことを特徴とする請求項１６〜２１のいずれか一項に記載の画像形成装置のメンテナンス方法。
【請求項２３】
前記画像形成装置は、前記画像読み取りステップの処理を実行する、
ことを特徴とする請求項１７〜２２のいずれか一項に記載の画像形成装置のメンテナンス方法。
【請求項２４】
前記表示ステップは、前記第１の送信ステップによって送信される前記メンテナンス情報の入力画面を表示する、
ことを特徴とする請求項１６〜２３のいずれか一項に記載の画像形成装置のメンテナンス方法。
【請求項２５】
前記表示ステップは、前記第２の受信ステップによって受信された複数のトラブル内容および付帯情報から必要とするトラブル内容および付帯情報を検索する検索画面を表示する、
ことを特徴とする請求項１６〜２４のいずれか一項に記載の画像形成装置のメンテナンス方法。
【請求項２６】
前記メンテナンス情報は、異常画像の種類を含む、
ことを特徴とする請求項１６〜２５のいずれか一項に記載の画像形成装置のメンテナンス方法。
【請求項２７】
前記メンテナンス情報は、前記画像形成装置が異常画像を出力した際のジョブ内容を含む、
ことを特徴とする請求項１６〜２６のいずれか一項に記載の画像形成装置のメンテナンス方法。
【請求項２８】
前記メンテナンス情報は、異常画像の修理方法を含む、
ことを特徴とする請求項１６〜２７のいずれか一項に記載の画像形成装置のメンテナンス方法。
【請求項２９】
前記メンテナンス情報は、前記画像形成装置が異常画像を出力した際の該画像形成装置の状態情報を含む、
ことを特徴とする請求項１６〜２８のいずれか一項に記載の画像形成装置のメンテナンス方法。
【請求項３０】
複数の前記画像形成装置が、同一機種である、
ことを特徴とする請求項１６〜２９のいずれか一項に記載の画像形成装置のメンテナンス方法。
【発明の詳細な説明】
【技術分野】
【０００１】
本発明は、例えば、電子写真方式の複写機やプリンタなどの画像形成装置のメンテナンスシステムおよびメンテナンス方法に関する。
【背景技術】
【０００２】
一般に、電子写真方式を用いたモノクロまたはフルカラーの画像形成装置では、耐久によるパーツ劣化等により故障や異常画像等のトラブルが発生することがある。このため、トラブル発生時に、顧客から連絡を受けたサービスマンが顧客先を訪問して、装置の故障原因を調査し、パーツ交換等の適切なメンテナンス作業を実施することにより装置の性能を維持、管理している。
【０００３】
また、複数の顧客先に設置された画像形成装置をネットワークを介してサーバまたはホストコンピュータに接続し、ホストコンピュータ等からメンテナンスに必要な情報を提供することによりサービスの利便性を図るシステムが提案されている。
【０００４】
例えば、外部サーバから画像形成装置に関する情報としてサービスマニュアルの内容やトラブルシューティングの方法を取得し、それらの情報を操作パネルやＣＲＴディスプレイに表示することでサービス管理を容易にしている（例えば、特許文献１参照）。
【０００５】
また、画像処理装置で読み取った画像データを管理装置に送信し、管理装置のオペレーターが送信された画像を見て異常を把握し、原因調査や対処方法を判断するのに利用するシステムが提案されている（例えば、特許文献２参照）。
【特許文献１】特開２００２−８４３８８号公報
【特許文献２】特開２００４−３４３６２１号公報
【発明の開示】
【発明が解決しようとする課題】
【０００６】
しかし、上記特許文献１では、予想できるトラブルについてはトラブルシューティングを予め外部サーバに保存しておくことが可能であるが、実際には想定外のトラブルが発生する場合がある。この場合には、トラブルシューティングが無いためサービスマン自身が原因を調査し、対処方法を見出さねばならない。
【０００７】
特に、画像形成装置が新製品の場合は、サービスマンの経験やノウハウの蓄積が乏しいため、作業に長時間を要したり、不必要に多くのパーツを交換したりする等、メンテナンスコストの増大を招くことになる。
【０００８】
また、上記特許文献２では、画像処理装置の画像読み取り系統の異常については故障原因を判定できるが、作像系統に異常があった場合は対処することができない。さらに、故障原因の判定をオペレーターの調査に依存しているため、オペレーターの知識が不十分であると正しい対処ができない。
【０００９】
そこで、本発明は、画像形成装置の想定外のトラブルに対しても適切なメンテナンス情報を取得して、メンテナンス作業時間を短縮することができるとともに、メンテナンスコストを抑えることができる画像形成装置のメンテナンスシステムおよびメンテナンス方法を提供することを目的とする。
【課題を解決するための手段】
【００１０】
上記目的を達成するために、本発明の画像形成装置のメンテナンスシステムは、シート上に所定の画像を形成して、該画像が形成されたシートを出力する複数の画像形成装置のメンテナンスシステムであって、前記画像形成装置のトラブル内容を、メンテナンス情報を含む付帯情報と共に送信する第１の送信手段と、該第１の送信手段によって送信されたトラブル内容および付帯情報を受信する第１の受信手段と、該第１の受信手段によって受信されたトラブル内容および付帯情報を所定の記憶領域に記憶する記憶手段と、送信要求があったときに、前記記憶領域に記憶されたトラブル内容および付帯情報を送信する第２の送信手段と、該第２の送信手段によって送信されたトラブル内容および付帯情報を受信する第２の受信手段と、該第２の受信手段によって受信されたトラブル内容および付帯情報を表示する表示手段と、を備えることを特徴とする。
【００１１】
本発明の画像形成装置のメンテナンス方法は、シート上に所定の画像を形成して、該画像が形成されたシートを出力する複数の画像形成装置のメンテナンス方法であって、前記画像形成装置のトラブル内容を、メンテナンス情報を含む付帯情報と共に送信する第１の送信ステップと、該第１の送信ステップによって送信されたトラブル内容および付帯情報を受信する第１の受信ステップと、該第１の受信ステップによって受信されたトラブル内容および付帯情報を所定の記憶領域に記憶する記憶ステップと、送信要求があったときに、前記記憶領域に記憶されたトラブル内容および付帯情報を送信する第２の送信ステップと、該第２の送信ステップによって送信されたトラブル内容および付帯情報を受信する第２の受信ステップと、該第２の受信ステップによって受信されたトラブル内容および付帯情報を表示する表示ステップと、を備えることを特徴とする。
【発明の効果】
【００１２】
本発明によれば、画像形成装置でトラブルが発生した際に、所定の記憶領域に蓄積保存されている、複数の画像形成装置で発生したトラブル内容およびそのメンテナンス情報を含む付帯情報を受信して表示する。従って、複数の画像形成装置で発生したトラブル内容およびそのメンテナンス情報を含む付帯情報の表示内容を参照することにより、画像形成装置の想定外のトラブルに対しても適切なメンテナンス情報を得ることができる。
【００１３】
これにより、メンテナンス作業時間を短縮することができるとともに、メンテナンスコストを抑えることができる。
【発明を実施するための最良の形態】
【００１４】
以下、本発明の実施の形態の一例を図を参照して説明する。
【００１５】
図１は画像形成装置の一例を説明するための概略断面図、図２は本発明の実施の形態の一例である画像形成装置のメンテナンスシステムの説明図、図３は画像形成装置およびホストコンピュータのブロック図、図４は付帯情報の一例を示す図である。図５（ａ）は異常画像とコード番号との対応を示す図、図５（ｂ）はジョブデータとコード番号との対応を示す図、図６および図７はデータ送信画面例を示す図、図８〜図１３は異常画像の例を示す図、図１４は蓄積データの概念図である。
【００１６】
まず、図１を参照して、画像形成装置について説明すると、この画像形成装置１は、プリンタ部２０１および画像読み取り部（画像読み取り手段）２００を備える。
【００１７】
プリンタ部２０１には、像担持体である感光ドラム１０が回転可能に支持され、感光ドラム１０の外周には、コロナ帯電器２、現像器３ｙ，３ｍ，３ｃ，３ｋおよび１次転写帯電器４が設けられている。
【００１８】
現像器３ｋは感光ドラム１０に対向する位置に固定配置され、現像器３ｙ、３ｍ、３ｃは回転式現像器とされて、順次、感光ドラム１０に対向する位置に移動する。
【００１９】
感光ドラム１０は不図示のドラムモータにより回転駆動され、コロナ帯電器２によって所定電位に帯電される。また、作像すべき画像の画像データに応じて、ＣＰＵ１０１に制御されたレーザ駆動回路１１０がレーザ光源５の発光をＯＮ／ＯＦＦ制御する。
【００２０】
そして、レーザ光源５から照射されたレーザ光がポリゴンミラー５１およびミラー５２を介して一様に帯電された感光ドラム１０上に照射され、これにより、感光ドラム１０上に静電潜像が形成される。
【００２１】
現像器３ｙ，３ｍ，３ｃ，３ｋには、それぞれ現像剤として、イエロー、マゼンタ、シアン、ブラックのトナーが所定量充填されている。現像器３ｙ，３ｍ，３ｃ，３ｋは、それぞれ感光ドラム１０が１回転するごとに、感光ドラム１０上に形成された対応する色の潜像を現像して、イエロー、マゼンタ、シアン、ブラックのトナー像として可視化する。
【００２２】
なお、本実施形態では、ブラックの現像剤として磁性１成分トナーを用い、イエロー、マゼンタ、シアンの現像剤としてトナーとキャリア粒子とを混合した２成分現像剤を用いる。また、現像方式は、正規現像方式を採用し、感光ドラム１０の帯電極性と逆極性のトナーを用いて、該トナーを非露光部に付着させて画像を形成する。
【００２３】
一方、駆動ローラ１１、アイドルローラ１２、バックアップローラ１３により支持された中間転写体５０が駆動ローラ１１により回転駆動されると共に、不図示の高圧電源により１次転写帯電器４にトナーの帯電極性とは逆極性の１次転写電圧が印加される。これにより、感光ドラム１０上の１色目のイエロートナー像が中間転写体５０に１次転写される。
【００２４】
同様に、２色目、３色目、及び４色目についても、感光ドラム１０上に現像されたトナー像が順次、中間転写体５０上に１次転写され、４色のトナー像が重畳されたカラー画像が得られる。
【００２５】
なお、本実施形態では、１次転写帯電器４として、金属の軸棒に導電性のゴムまたはスポンジ等の弾性層を設けた導電ローラ（１次転写ローラ）を用いている。そして、１次転写帯電器４を中間転写体５０に当接させるとともに軸棒に１次転写電圧を印加し、中間転写体５０に対して従動で回転しながら転写を行う。
【００２６】
中間転写体５０にトナー像を転写した後の感光ドラム１０の表面には中間転写体５０に転写されずに残留したトナーが付着しており、この残留トナーは感光ドラム１０の回転とともに移動してクリーニング装置６で除去され、不図示のトナー回収容器に回収される。残留トナーを回収した後、感光ドラム１０の残留電荷は前露光装置１６により除電され、次回の潜像形成にそなえられる。
【００２７】
中間転写体５０上に形成された４色のフルカラートナー像は、２次転写ローラ１４とバックアップローラ１３との間の圧接ニップ部（２次転写部）に搬送されたシートＰ上に一括して２次転写される。２次転写ローラ１４およびバックアップローラ１３には１次転写ローラと同様に導電ローラを用いている。
【００２８】
また、２次転写ローラ１４は中間転写体５０に対して着脱可能とされている。２次転写ローラ１４は３色目のトナー像が２次転写部を通過するまでは中間転写体５０から離間し、３色目のトナー像が２次転写部を通過した後に中間転写体５０に圧接する。
【００２９】
そして、２次転写ローラ１４に不図示の高圧電源によりトナーの帯電極性とは逆極性の２次転写電圧が印加され、これにより、中間転写体５０から４色のトナー像がシートＰへ一括して２次転写される。
【００３０】
トナー像が転写されたシートＰは定着装置３０へ搬送されて、トナー像の溶融混色及びシートＰへの固定が行われ、これにより、シートＰ上にフルカラー画像が形成される。
【００３１】
また、シートに転写されずに中間転写体５０上に残留したトナーは中間転写体５０の回転とともに移動し、クリーニングブレード２０により除去されて、不図示の回収容器に回収される。
【００３２】
クリーニングブレード２０は、中間転写体５０に対して着脱可能とされている。クリーニングブレード２０は、３色目のトナー像がブレード位置を通過するまでは中間転写体５０から離間し、３色目のトナー像がブレード位置を通過した後に中間転写体５０に圧接して残留トナーをクリーニングする。
【００３３】
画像読み取り部２００では、原稿台ガラス２０２上に置かれた原稿２０９が押圧板２０６により原稿台ガラス２０２上に固定保持され、走査部２０７が矢印方向に移動して原稿２０９の画像を光学的に読み取る。
【００３４】
走査部２０７では、ハロゲンランプ（または蛍光ランプ）２０３から照射された画像の反射光学像がレンズ２０４により結像してＣＣＤ２０５に入力し、電気的な輝度信号に変換される。この輝度信号はリーダ画像処理部２０８に送られ、不図示のＡ／Ｄ変換器によりデジタル信号に変換されて画像データの信号となる。
【００３５】
この画像データの信号がプリンタ部２０１のＣＰＵ１０１へ送られ、レーザ光源５の発光をＯＮ／ＯＦＦ制御する。なお、原稿は、操作者が原稿台ガラス２０２に直接置く以外に、原稿の自動給排紙装置（不図示）を設けてもよい。即ち、自動給排紙装置によって自動的に原稿台ガラス２０２上に原稿を搬送し、走査部２０７による画像の読み取りを実行した後、該原稿を自動的に排出トレイ（不図示）に排出するようにしてもよい。
【００３６】
次に、図２〜図１４を参照して、本発明の実施の形態の一例である画像形成装置のメンテナンスシステムを説明する。
【００３７】
本発明の実施の形態の一例である画像形成装置のメンテナンスシステムは、図２に示すように、複数の画像形成装置１がネットワーク（通信回線）４００を介してホストコンピュータ（管理装置）３００に接続されている。ここで、本実施形態では、画像形成装置１は、複数の顧客先にそれぞれ設置され、各顧客先を担当する個々のサービスマンにより維持管理されるものとする。
【００３８】
画像形成装置１は、図３に示すように、リーダ画像処理部２０８からプリンタ部２０１に送られた画像データが一旦メモリＨＤＤ１０５に保存される。この画像データはコントローラボードであるＣＰＵ１０１により表示装置（表示手段）１０２に画像として視覚的に表示される。表示装置１０２は液晶パネルやＣＲＴ等で構成され、表示画面中にタッチ式操作キーを備える操作パネルを兼ねている。
【００３９】
また、表示装置１０２の操作パネルで設定されたジョブの実行内容を示すジョブデータはＲＡＭ１０８に格納される。さらに、プリンタ部２０１に設けた温湿度センサ２４（図１参照）等の各種センサ１０６で検知された装置状態を表す状態データや、枚数カウンタ１０７で積算された総使用枚数が、順次更新されながらＲＡＭ１０８に格納される。
【００４０】
そして、上述した画像データ、ジョブデータ、状態データの付帯情報が画像形成装置１の個体識別情報である機番データと共に通信装置（第１の送信手段、第２の受信手段）１０４からネットワーク４００を介してホストコンピュータ３００に送信される。
【００４１】
一方、ホストコンピュータ３００は、ＣＰＵ３０３、通信装置（第１の受信手段、第２の送信手段）３０１およびＨＤＤ（記憶手段）３０２を備える。そして、ホストコンピュータ３００は、画像形成装置１から送信された各データを通信装置３０１により受信し、受信データをＨＤＤ３０２に保存、蓄積して、データベースを構築する。
【００４２】
また、ホストコンピュータ３００は、任意の画像形成装置１からの送信要求に応じて、ＨＤＤ３０２に蓄積されたデータを通信装置３０１によりネットワーク４００を介して任意の画像形成装置１に送信する。
【００４３】
次に、図６を参照して、任意の画像形成装置１において、異常画像が発生した場合の処理を説明する。
【００４４】
任意の画像形成装置１で異常画像が発生した場合、サービスマンＡは原因を調査しその調査結果に基づき修理を行う。調査に先立ち、サービスマンＡが、まず、画像形成装置１を操作して、異常の特徴を視認しやすい画像パターンにて異常画像（トラブル内容）の画像サンプルを出力する。
【００４５】
例えば、全面が中間調濃度のハーフトーン画像、全面が最大濃度のベタ画像、全面白地画像、又は縦線若しくは横線だけの画像のサンプルを出力する。これらの画像サンプルは必要に応じてモノクロまたはフルカラーで出力し、カラーの場合はイエロー、マゼンタ、シアンのうちの所定の色だけを選択して出力してもよい。また、異常が発生しやすい条件として、必要に応じて両面モードや使用するシートの条件を選択する。通常は、顧客から異常を指摘されたジョブと同一条件で出力する。
【００４６】
次に、画像形成装置１の表示装置１０２の操作画面を操作して異常画像の画像データおよび付帯情報を送信する。
【００４７】
まず、図６（ａ）に示す表示装置１０２のサービスモード画面から「データ送信」を選択して「ＯＫ」のキーを押すと、図６（ｂ）に示す画面に移行する。
【００４８】
次に、図６（ｂ）の画面で「画像読み込み」を選択して「ＯＫ」のキーを押すと、図６（ｃ）に示す画面に移行する。図６（ｃ）の画面では、画面の指示にしたがい、サービスマンＡが、画像サンプルを出力した紙と同じ種類の未使用紙で、且つ汚れや折れ等が無い白紙（無地シート）を画像形成装置１の原稿台ガラス２０２上に置く。
【００４９】
そして、「ＯＫ」キーを押すと、画像読み取り部２００により白紙が読み込まれ、読み込み画像データがＨＤＤ１０５へ保存されるとともに、図６（ｄ）の画面に移行する。
【００５０】
図６（ｄ）の画面では、サービスマンＡが画像形成装置１から出力した画像サンプルを原稿台ガラス２０２上に置き、「ＯＫ」キーを押すと、画像読み取り部２００によって画像サンプルが読み込まれ、読み込み画像データがＨＤＤ１０５へ保存される。
【００５１】
そして、ＣＰＵ１０１が、画像サンプルの読み込み画像データと白紙の読み込み画像データとの差分を演算し、その結果を異常画像の画像サンプルの最終データとして、再度、ＨＤＤ１０５に保存する。
【００５２】
このように、画像サンプルの画像データと白紙の画像データとの差分を演算する理由は、画像読み取り部２００や押圧板２０６に汚れ等があった場合に、読み取られた画像サンプルのデータに汚れに起因した外乱データが付加されるのを防ぐためである。これにより、プリンタ部２０１の異常に起因した画像サンプルの正しいデータを取得することができる。
【００５３】
また、ＣＰＵ１０１は、白紙の読み取り画像データについて、全面域にわたる平均値、最大値および最小値を算出する。そして、ＣＰＵ１０１は、平均値と最大値との差分または平均値と最小値との差分が、あらかじめ決めておいた所定値を越えた場合は、画像読み取り系統に汚れ等の異常があることを表示装置１０２に表示する。
【００５４】
画像形成装置１から画像サンプルを出力した時点で付帯情報が一時的にＲＡＭ１０８に保存されている。そして、画像読み取り部２００によって画像サンプルおよび白紙の読み込みを実行した後、図６（ｂ）の画面で「付帯情報」を選択し、「ＯＫ」キーを押すと、付帯情報がＨＤＤ１０５へ転送されて、保存されるとともに、図６（ｅ）の画面に移行する。
【００５５】
図６（ｅ）の画面は、データ内容を確認するための画面で、サービスマンＡが付帯情報を確認するとともに、異常画像の種類、異常の詳細な特徴などのコメントを画像形成装置１の操作キー（不図示）より入力する。異常画像の種類は、異常の特徴を簡単な表現で説明したもので、あらかじめ決められたいくつかの異常種類から選択する。
【００５６】
これらの画像データと付帯情報とをセットとしたデータ一式にはシリアル番号「ｄａｔａ＊＊＊＊」が付与される。そして、「ＯＫ」キーを押すと、異常種類とコメントがＨＤＤ１０５へ保存され、上記データ一式に追加される。
【００５７】
次に、サービスマンＡは、異常画像が出力された画像形成装置１の原因調査および修理作業を行う。修理作業の間、一般には画像形成装置１の電源がＯＦＦされる。修理作業後、画像形成装置１の電源を入れると、表示装置１０２に図６（ｆ）に示すデータ内容確認の画面が表示される。この時点で、表示装置１０２に修理方法（メンテナンス情報）の入力画面が表示され、サービスマンＡが画像形成装置１の操作キー（不図示）より修理方法を入力する。
【００５８】
かかる入力後、「送信する」のキーを押すと、修理方法がＨＤＤ１０５へ保存されて、上記データ一式に追加され、該データ一式が通信装置１０４からネットワーク４００を介してホストコンピュータ３００に送信される。ホストコンピュータ３００は、画像形成装置１から送信されたデータ一式を通信装置３０１により受信してＨＤＤ３０２に保存、蓄積し、データベースを構築する。
【００５９】
次に、図４を参照して、付帯情報について説明する。
【００６０】
図４に示すように、付帯情報のうち、機番、日付、状態データは画像形成装置１から画像サンプルを出力した時点でＲＡＭ１０８に保存される。ジョブデータは画像サンプルの出力条件、すなわち、異常が顕画化しやすい条件であり、有用な情報である。各種センサ１０６の出力は、異常画像が発生している時点の画像形成装置１の状態を知るためのデータである。異常画像の種類、コメント、修理方法は、上述したように、サービスマンが入力する。
【００６１】
また、図５に示すように、あらかじめ、異常画像の種類およびジョブデータの内容ごとにコード番号が定めてあり、これらのデータはコード番号で管理されている。
【００６２】
上記データ一式のホストコンピュータ３００への送信処理が複数の画像形成装置１および複数種類の異常画像について実行されることで、ホストコンピュータ３００のＨＤＤ３０２に異常画像と修理方法のデータが蓄積される（図１４参照）。これらのデータは機番またはコード番号で管理されているので、機番またはコード番号によって所望の条件のデータが検索可能となっている。ホストコンピュータ３００内のＣＰＵ３０３はこのデータ検索を実行するコントロールボードである。
【００６３】
次に、各種センサ１０６について説明する。
【００６４】
画像形成装置１では、環境変動や、耐久によるパーツ劣化に対し、常に画像品質を安定に維持するため、装置のウオームアップ回転中や作像後の後回転中に、各種センサ１０６により装置状態を表す状態量を検知しその検知結果に基づき各種の画像安定化制御を行う。
【００６５】
例えば、耐久による感光ドラム１０の帯電特性や感光特性の変化、あるいはコロナ帯電器２の汚れにより潜像電位が変化する。そこで、所望の潜像電位を得るため、コロナ帯電器２に定電流を印加しながら電位センサ９で感光ドラム１０の表面電位を測定する。そして、定電流の電流値を順次変化させて電位を測定することにより電流と電位との相関を調べ、その相関から所望の暗電位ＶＤが得られる電流値Ｉを算出する。作像時に電流値Ｉを印加すれば常に所望の暗電位ＶＤに制御できる。
【００６６】
また、所望の明電位ＶＬを得るためには、上記結果に基づき感光ドラム１０を暗電位ＶＤに帯電しながら、レーザ光源５の出力を順次変化させて電位を測定することによりレーザ出力と電位との相関を調べる。そして、その相関から所望の明電位ＶＬが得られるレーザ出力Ｐを算出する。作像時にレーザ出力Ｐにて露光すれば常に所望の明電位ＶＬに制御できる。
【００６７】
さらに、各色の画像濃度を一定に維持するため、感光ドラム１０上の非画像領域に所定濃度の単色のパッチ画像を形成し、該パッチ画像を中間転写体５０に転写して中間転写体５０の周囲に配置した濃度センサ８によってパッチ画像の濃度を読み取る。そして、その濃度に基づいてトナーの過不足量を演算し、例えば不足の場合には対応する現像器へのトナー補給時間を上げ濃度が一定になるように制御する。
【００６８】
さらに、特にイオン導電材からなる転写ローラを使用した場合、電圧印加による耐久使用にともない転写ローラの抵抗が上昇していくことが知られている。このため、転写効率を一定に維持するため、非画像領域で転写ローラに目標電流Ｉｔを定電流で印加し、そのときの電圧Ｖｔを検知して、トナー像の転写中に定電圧Ｖｔを印加する。これにより、転写ローラの抵抗変化によらずトナー像部に常に転写電流Ｉｔを付与して転写効率が一定となるようにしている。この制御は、１次転写（１次転写帯電器（ローラ）４）および２次転写（２次転写ローラ１４）について実行され、１次転写電圧および２次転写電圧が決定される。
【００６９】
さらに、画像形成装置１の内部には温湿度センサ２４が設けられ、検知された温度と湿度とから水分量を算出する。この水分量の算出結果は、潜像電位や転写電流の目標値を修正するために使用される。これは、電子写真式の画像形成装置の性能が雰囲気の水分量の影響を受けやすく、水分量に応じて最適な性能を維持するためである。
【００７０】
現像器３ｙ，３ｍ，３ｃには、トナーとキャリアからなる２成分現像剤が充填されている。トナーとキャリアからなる総現像剤量に対するトナー量の重量比率をトナー濃度と呼ぶ。このトナー濃度により現像品質が変化する。プリント動作を続けると次第にトナーが消費されていきトナー濃度が下がってくる。トナー濃度が所定の下限値より下がると現像工程において感光ドラム１０に付着するキャリア量が増え、該キャリアがクリーニング装置６や中間転写体５０を傷つけるというトラブルが発生する。
【００７１】
一方、補給装置の故障などで現像器に過剰にトナーが補給されるとトナー濃度が上がり、トナー濃度が上限値を越えると、画像白地部へのトナー付着量が増え、カブリ現象や、現像器からのトナー飛散量が増加し装置内が汚れるというトラブルが発生する。これを防止するため、トナー濃度を監視するトナー濃度センサ７を設けてある。
【００７２】
トナー濃度センサ７はフォトセンサで構成され、図１に示すように、退避位置の現像器３ｙ，３ｍ，３ｃに対向して設けられ、現像剤を担持する不図示の現像ローラ上の現像剤のトナー濃度を測定する。トナー濃度センサ７の出力はデジタル信号に変換され、現像剤の状態を表わす状態データとして使用される。
【００７３】
次に、図７を参照して、サービスマンＢの顧客先に設置された画像形成装置１に異常が発生した場合の処理について説明する。
【００７４】
画像形成装置１で異常画像が発生すると、サービスマンＢは修理に必要な情報を入手するためホストコンピュータ３００からデータを受信する。まず、図７（ａ）に示す表示装置１０２のサービスモードの画面（図６（ａ）と同じ画面）において、「診断」を選択して押下すると、図７（ｂ）に示す診断モードの選択画面に移行する。ここでは、画像診断を行うため、「画像」を選択して押下すると、図７（ｃ）に示す画像診断の画面に移行する。
【００７５】
図７（ｃ）の画面では、「画像サンプル」で検索するか、「発生モード」で検索するかを選択する。図７（ｃ）の画面において、「画像サンプル」を選択して押下した場合は、図７（ｄ）に示す画像サンプル検索画面に移行し、「発生モード」を選択して押下した場合は、図７（ｅ）に示す発生モード検索画面に移行する。
【００７６】
図７（ｄ）の画像サンプル検索画面では、異常画像の種類が複数表示されるので、その中から、修理すべき画像形成装置１が出力した異常画像に類似した種類を選択する。
【００７７】
例えば、図７（ｄ）の画像サンプル検索画面で「縦スジ」を選択し、つづいて「検索」キーを選択して押下すると、通信装置１０４からネットワーク４００を介してホストコンピュータ３００に対して縦スジに関するデータの送信要求が送信される。
【００７８】
画像形成装置１からの送信要求をホストコンピュータ３００の通信装置３０１が受信すると、ＣＰＵ３０３によりＨＤＤ３０２に蓄積されたデータ一式から縦スジのコード番号を有するデータ一式が検索される。検索されたデータ一式は通信装置３０１からネットワーク４００を介して画像形成装置１に送信される。
【００７９】
ホストコンピュータ３００から送信されたデータ一式を画像形成装置１の通信装置１０４が受信すると、ＣＰＵ１０１を介して該データ一式をＨＤＤ１０５に保存し、次いで、表示装置１０２に図７（ｆ）に示す検索結果画面を表示する。
【００８０】
図７（ｆ）の検索結果画面には、縦スジのサンプル画像、付帯情報、コメント欄および修理方法が表示される。図７（ｆ）の画面で他の縦スジのサンプル画像を参照したい場合は、「次サンプル」のキーを選択して押下すると、上記同様にして、ホストコンピュータ３００においてＨＤＤ３０２からコード番号の順に次の縦スジのサンプル画像のデータ一式が検索される。検索されたデータ一式は、上記同様にして、画像形成装置１に送信され、表示装置１０２の検索結果画面に、次の縦スジのサンプル画像、付帯情報、コメント欄および修理方法が表示される。
【００８１】
また、図７（ｆ）の検索結果画面で「前サンプル」のキーを選択して押下した場合は、画像形成装置１のＨＤＤ１０５に保存されている前の縦スジのサンプル画像が表示され、「もどる」のキーを選択して押下した場合は、図７（ｄ）の画面に戻る。
【００８２】
このようにして所望のサンプル画像を検索し、サービスマンＢは画像形成装置１が出力した異常画像に最も類似したサンプル画像に添付された修理方法を参照して画像形成装置１のメンテナンスを行う。
【００８３】
一方、図７（ｃ）の画面で「発生モード」を選択して押下した場合は、図７（ｅ）に示す発生モード検索画面に移行する。図７（ｅ）の画面では、修理すべき異常画像が発生したときの条件（本実施形態では、モノクロ／カラー、片面／両面、紙種、紙サイズ）を操作キーを操作して入力する。
【００８４】
つづいて、「検索」キーを選択して押下すると、通信装置１０４からネットワーク４００を介してホストコンピュータ３００に対して入力条件に対応するデータの送信要求が送信される。
【００８５】
画像形成装置１からの送信要求をホストコンピュータ３００の通信装置３０１が受信すると、ＣＰＵ３０３によりＨＤＤ３０２に蓄積されたデータ一式からジョブデータのコード番号を基に入力条件に合致するデータ一式が検索される。検索されたデータ一式は通信装置３０１からネットワーク４００を介して画像形成装置１に送信される。
【００８６】
ホストコンピュータ３００から送信されたデータ一式を画像形成装置１の通信装置１０４が受信すると、ＣＰＵ１０１を介して該データ一式をＨＤＤ１０５に保存し、次いで、表示装置１０２に図７（ｆ）に示す検索結果画面と同様の形式の画面を表示する。
【００８７】
そして、サービスマンＢは表示装置１０２の画面に表示されたサンプル画像と修理すべき異常画像とを比較し、類似していれば添付された修理方法を参照して画像形成装置１のメンテナンスを行う。類似していない場合は、上記と同様にして、画面の「次サンプル」のキーを選択して押下することで、最適なデータを検索することができる。
【００８８】
図８〜図１３に、異常画像の例を示す。図８は異常画像の縦スジの例を示す図、図９は異常画像の横スジの例を示す図、図１０は異常画像の白抜けの例を示す図、図１１は異常画像のスポットの例を示す図、図１２は異常画像の濃度ムラの例を示す図である。図１３（ａ）は異常画像の色ずれの例を示す図、図１３（ｂ）は異常画像の縦にじみの例を示す図である。
【００８９】
例えば、縦スジに分類されるサンプル画像には、縦スジの色、幅、位置等により図８（ａ）〜図８（ｃ）に示すような複数のパターンが存在する。サービスマンＢはこれらのパターンのサンプル画像を参照し、修理すべき異常画像と比較して最も類似したサンプル画像を検索する。
【００９０】
図８〜図１３に示すように、他の異常画像の種類についても複数のパターンが存在する。サービスマンＡが画像形成装置１で出力された異常画像データをホストコンピュータ３００に送信する操作を行う際、送信する前にこれらのサンプル画像を参照し、すでに類似のサンプル画像がホストコンピュータ３００に保存されていれば送信しなくてもよい。
【００９１】
また、例えば、図９（ｂ）に示すサンプル画像は横スジに分類されると同時に図１０（ｃ）に示す白抜けに相当する画像であるため、ホストコンピュータ３００に送信する際、横スジのデータとして送信した後、つづけて白抜けのデータとしても送信を行う。この理由は、図９（ｂ）に示すような異常画像が発生した場合に、サービスマンＢが白抜けのサンプル画像だけを検索したときでも類似サンプルを検索可能とするためである。
【００９２】
以上説明したように、この実施形態では、画像形成装置１で異常画像が発生した際に、ホストコンピュータ３００に蓄積保存されている、複数の画像形成装置１で発生した異常画像およびその修理方法等の付帯情報を受信して表示装置１０２に表示する。従って、サービスマンは、顧客先で表示装置１０２に表示された内容を参照することにより、画像形成装置１に想定外の異常画像が発生した場合にも適切なメンテナンス情報を得ることができる。
【００９３】
これにより、個々のサービスマンが故障の原因を調査し、対処方法を模索する必要がなくなり、メンテナンス作業時間を短縮することができるとともに、メンテナンスコストを抑えることができる。
【００９４】
なお、本発明は上記実施の形態に例示したものに限定されるものではなく、本発明の要旨を逸脱しない範囲において適宜変更可能である。
【００９５】
例えば、上記実施の形態では、ホストコンピュータ３００から受信したデータを画像形成装置１の表示装置１０２に表示する場合を例示したが、これに限定されない。サービスマンが携帯可能な表示装置付の小型コンピュータを画像形成装置１に接続し、画像形成装置１から小型コンピュータにデータを転送して、該小型コンピュータの表示装置にデータを表示するようにしてもよい。
【００９６】
また、上記実施の形態では、ホストコンピュータ３００にネットワーク４００を介して接続される複数の画像形成装置１を同一機種とした場合を例示したが、ネットワーク４００に他機種の画像形成装置を接続してもよい。この場合、他機種の画像形成装置のデータを受信してメンテナンスの参考に利用することができる。
【００９７】
さらに、上記実施の形態では、トラブル内容として異常画像を対象としたメンテナンスシステムを例示したが、これに限定されない。異常画像以外のトラブル内容である、例えば、画像形成装置に組み込まれた自己診断機能により生じる強制停止（エラー）やジャム等についても本発明を適用することができる。
【００９８】
さらに、図２および図３を参照して、ホストコンピュータ３００にネットワーク４０１を介してサービス拠点のコンピュータ５００を接続し、コンピュータ５００側で上述した異常画像データおよび付帯情報を受信できるようにしてもよい。この場合、コンピュータ５００に表示装置５０１を接続して受信したデータを表示したり、あるいは、プリンタ５０２を接続し、異常画像の画像サンプルや付帯情報のリストをプリンタ５０２から出力して確認できるようにしてもよい。
【００９９】
また、システムの使用形態として、顧客からのトラブル指摘時に顧客が画像形成装置１からホストコンピュータ３００に異常画像のデータ送信を行い、サービス拠点において送信されたデータをサービスマンが確認するようにしてもよい。このようにすると、サービスマンがあらかじめ異常画像と類似するサンプル画像を検索して、修理方法を把握してから顧客先を訪問することができるので、顧客先でのサンプル画像の検索が不要となり、メンテナンス効率が上がる。
【図面の簡単な説明】
【０１００】
【図１】画像形成装置の一例を説明するための概略断面図である。
【図２】本発明の実施の形態の一例である画像形成装置のメンテナンスシステムの説明図である。
【図３】画像形成装置およびホストコンピュータのブロック図である。
【図４】付帯情報の一例を示す図である。
【図５】（ａ）は異常画像とコード番号との対応を示す図、（ｂ）はジョブデータとコード番号との対応を示す図である。
【図６】データ送信画面例を示す図である。
【図７】データ送信画面例を示す図である。
【図８】異常画像の縦スジの例を示す図である。
【図９】異常画像の横スジの例を示す図である。
【図１０】異常画像の白抜けの例を示す図である。
【図１１】異常画像のスポットの例を示す図である。
【図１２】異常画像の濃度ムラの例を示す図である。
【図１３】（ａ）は異常画像の色ずれの例を示す図、（ｂ）は異常画像の縦にじみの例を示す図である。
【図１４】蓄積データの概念図である。
【符号の説明】
【０１０１】
１      画像形成装置
１０２  表示装置（表示手段）
１０４  通信装置（第１の送信手段、第２の受信手段）
２００  画像読み取り部（画像読み取り手段）
３００  ホストコンピュータ（管理装置）
３０１  通信装置（第２の送信手段、第１の受信手段）
３０２  ＨＤＤ（記憶手段）
４００  ネットワーク（通信回線）
【図１】
2008061187.tif 000003
【図２】
2008061187.tif 000004
【図３】
2008061187.tif 000005
【図４】
2008061187.tif 000006
【図５】
2008061187.tif 000007
【図１４】
2008061187.tif 000008
【図６】
2008061187.tif 000009
【図７】
2008061187.tif 000010
【図８】
2008061187.tif 000011
【図９】
2008061187.tif 000012
【図１０】
2008061187.tif 000013
【図１１】
2008061187.tif 000014
【図１２】
2008061187.tif 000015
【図１３】
2008061187.tif 000016